(57)【要約】      （修正有） 【課題】電動自転車が低速で走行する場合に蓄電池に充電でき、高い充電効果が得られ、かつ簡易な電気回路の構造で安定した電圧の得られる低速走行充電システムを提供する。【解決手段】電動機１コイルＬが変圧器２の一次コイルの一端に接続し、変圧器２の他端が電界効果（ＭＯＳ）管のドレインの一端に接続し、該電界効果（ＭＯＳ）管のグリッドがパルス発生器７の出力端に接続し、該電界効果（ＭＯＳ）管のソースがアースに接続し、変圧器２の二次コイルがブリッジ式整流回路４を介して充電制御回路３に接続し、該充電制御回路３からの出力端が単一方向ダイオードを介して蓄電池５に接続する。【選択図】図１
0003148366.tif 000002
【実用新案登録請求の範囲】
【請求項１】
電動機コイルＬが変圧器の一次コイルの一端に接続し、該変圧器の他端が電界効果（MOS）管のドレインの一端に接続し、該電界効果（MOS）管のグリッドがパルス発生器の出力端に接続し、該電界効果（MOS）管のソースがアースに接続し、該変圧器の二次コイルがブリッジ式整流回路を介して充電制御回路に接続し、該充電制御回路からの出力端が単一方向ダイオードを介して蓄電池に接続することを特徴とする電動自転車の低速走行充電システム。
【請求項２】
前記充電制御回路の入力端が該変圧器の二次コイル出力端に接続し、電圧安定用ダイオードを介して電圧安定用三極管のベースに接続し、該電圧安定用三極管の出力端がフィードバック三極管のベースに接続し、該フィードバック三極管の出力端が演算増幅器の入力端に接続し、該演算増幅器の出力端が該電圧安定用三極管のベースに接続することを特徴とする請求項１に記載の電動自転車の低速走行充電システム。
【請求項３】
前記電圧安定用三極管の出力端は、サンプリング抵抗を介して該フィードバック三極管のベースに接続することを特徴とする請求項２に記載の電動自転車の低速走行充電システム。
【考案の詳細な説明】
【技術分野】
【０００１】
この考案は電動自転車の充電システムに関し、特に低速走行において充電できる電動自転車の低速走行充電システムに関する。
【背景技術】
【０００２】
従来の電動自転車における充電装置は、電動自転車が走行する場合、所定の速度に達した後、はじめて摩擦によって充電装置を起動して発電し、蓄電池に供給することができる。即ち、摩擦ローラがタイヤ、もしくはリムに接触し、摩擦によって発電機構を起動して発電し、蓄電池の充電に供する。この場合、蓄電池に充電するためには、発電する電圧は蓄電池の電圧よりも大きくなければならず、充電電圧が蓄電池の電圧より低い場合は充電することができない。しかも、発電装置は体積が大きく、自転車に取り付けた場合エネルギーの消耗が大きく、充電効率が低い。このため実際の応用価値はほとんどない。
【考案の開示】
【考案が解決しようとする課題】
【０００３】
この考案は電動自転車が低速で走行する場合に蓄電池に充電でき、かつ高い充電効果が得られる電動自転車の低速走行充電システムを提供することを課題とする。
【０００４】
また、この考案は電動自転車が走行する場合の発電機能を十分に利用でき、別途、摩擦式の充電装置を必要とせず、電気エネルギーを節約するとともに、蓄電池による一回の連続した走行距離を伸ばすことがことのできる低速走行充電システムを提供することを課題とする。
【０００５】
さらに、この考案は簡易な電気回路の構造で安定した電圧の得られる低速走行充電システムを提供することを課題とする。
【課題を解決するための手段】
【０００６】
そこで、本考案者は従来の電動自転車の充電システムに見られる欠点に鑑み鋭意研究を重ねた結果、電動機コイルＬが変圧器の一次コイルの一端に接続し、該変圧器の他端が電界効果（MOS）管のドレインの一端に接続し、該電界効果（MOS）管のグリッドがパルス発生器の出力端に接続し、該電界効果（MOS）管のソースがアースに接続し、該変圧器の二次コイルがブリッジ式整流回路を介して充電制御回路に接続し、該充電制御回路からの出力端が単一方向ダイオードを介して蓄電池に接続してなる電動自転車の低速走行充電システムの構造によって課題を解決できる点に着眼し、係る知見に基づいて本考案を完成させた。
【０００７】
以下、この考案について具体的に説明する。
請求項１に記載の電動自転車の充電システムは、電動機コイルＬが変圧器の一次コイルの一端に接続し、該変圧器の他端が電界効果（MOS）管のドレインの一端に接続し、該電界効果（MOS）管のグリッドがパルス発生器の出力端に接続し、該電界効果（MOS）管のソースがアースに接続し、該変圧器の二次コイルがブリッジ式整流回路を介して充電制御回路に接続し、該充電制御回路からの出力端が単一方向ダイオードを介して蓄電池に接続する。
【０００８】
請求項２に記載する電動自転車用の低速走行充電システムは、請求項１における充電制御回路の入力端が該変圧器の二次コイル出力端に接続し、電圧安定用ダイオードを介して電圧安定用三極管のベースに接続し、該電圧安定用三極管の出力端がフィードバック三極管のベースに接続し、該フィードバック三極管の出力端が演算増幅器の入力端に接続し、該演算増幅器の出力端が該電圧安定用三極管のベースに接続する。
【０００９】
請求項３に記載する電動自転車の低速走行充電システムは、請求項２における電圧安定用三極管の出力端が、サンプリング抵抗を介して該フィードバック三極管のベースに接続する。
【考案の効果】
【００１０】
この考案によれば、電動自転車が低速で走行する場合に蓄電池に充電でき、かつ高い充電効果が得られ、かつ蓄電池による一回の連続した走行距離を伸ばすことができるため、電動自転車の快適な走行を実現できるという効果を有する。
【００１１】
また、この考案によれば、別途摩擦式の充電装置を取り付ける必要がなく、かつ簡易な電気回路の構造で安定した電圧が得られるため、電動自転車への応用に便利で、好ましい充電効果が得られるという効果を有する。
【考案を実施するための最良の形態】
【００１２】
この考案は電動自転車が低速で走行する場合に蓄電池に充電でき、高い充電効果が得られ、かつ簡易な電気回路の構造で安定した電圧の得られる低速走行充電システムを提供するものであって、
電動機コイルＬが変圧器の一次コイルの一端に接続し、該変圧器の他端が電界効果（MOS）管のドレインの一端に接続し、該電界効果（MOS）管のグリッドがパルス発生器の出力端に接続し、該電界効果（MOS）管のソースがアースに接続し、該変圧器の二次コイルがブリッジ式整流回路を介して充電制御回路に接続し、該充電制御回路からの出力端が単一方向ダイオードを介して蓄電池に接続して構成される。
かかる電動自転車の低速走行充電システムの構造と特徴を詳述するために具体的な実施例を挙げ、図面を参照にして以下に説明する。
【００１３】
図１、２に開示するように、電動自転車が走行する過程において、坂を下る場合、もしくは高速で走行する場合、電動機１の電路の開閉を行う開閉器Ｋ１、Ｋ２が閉じる。Ｋ１、Ｋ２は双投スイッチであって、同時に電動機１の電源を切る。この場合、電動自転車は慣性、もしくは外部の力（高所から低所に向かう勢い）によって、依然として前進する。即ち、電動機１はやはり回転し、電動機１のコイルｌは本来の電動コイルから発電機の発電コイルに変わる。
【００１４】
コイルＬの直流電圧（電流）が変圧器２の一次コイルの一端に導かれる。変圧器２の一次コイルの一端は電界効果管（ＭＯＳ）のドレインに接続する。そのグリッドにはパルス発生器７の出力端に接続し、そのソースはアースに接続して、直流電流を交流電流に転換して変圧器２の二次コイルに送り、電圧を高めた後、ブリッジ式整流回路４を通過して充電制御回路に送る。この場合、充電電圧は、すでに蓄電池５の電圧より高くなっている。
【００１５】
次いで、ブリッジ式整流回路４の単一方向ダイオードを経て蓄電池５に至り充電される。
【００１６】
充電電流を安定させるために、充電制御回路３は図２に開示する回路を採用する。即ち。電圧が電圧安定用ダイオード８から電圧安定用三極管９のベースに印加されると、電圧安定用三極管９から出力し、サンプリング抵抗１０を経てフィードバック三極管１１のベースにフィードバックされ、演算増幅器１２に至る。さらに演算増幅回器１２からの出力が電圧安定三極管のベース入力端に送られ、このため充電電圧が安定し、蓄電池５に対する信頼性が高く、かつ連続した充電を保証する。
【００１７】
開閉器Ｋ１が閉じて、Ｋ２が開放されると、電動機１のコイルＬは電動コイルとなる。電動機１の両端は蓄電池５に接続し、コイルＬと変圧器２の回路が開放されて発電が中止する。
【００１８】
開閉器１が電動機１を切れると、コイルＬは変圧器２に接続し、発電が行われる。充電の過程において、電動機１のコイルＬは電動コイルと発電コイルとに繰り返し転換する。
【００１９】
以上はこの考案の好ましい実施の形態であって、この考案の実施の範囲を限定するものではない。よって、当業者のなしえる修正、もしくは訂正であって、この考案の精神の下においてなされ、この考案に対して均等の効果を有するものは、いずれもこの考案の実用新案登録請求の範囲に含まれるものとする。
【図面の簡単な説明】
【００２０】
【図１】この考案における充電原理を示した説明図である。
【図２】図１における充電制御回路図である。
【符号の説明】
【００２１】
１       電動機
２       変圧器
３       充電制御回路
４       ブリッジ式整流回路
５       蓄電池
８       電圧安定用ダイオード
９       電圧算定用三極管
１１     フィードバック三極管
１２     演算増幅器  
Ｋ１、Ｋ２   開閉器
Ｌ       コイル
【図１】
0003148366.tif 000003
【図２】
0003148366.tif 000004